(57)【特許請求の範囲】
【請求項１】
記録媒体を所定の搬入位置から所定の装着位置へ搬入、または前記記録媒体を所定の装着位置から所定の搬入位置へ排出する記録媒体搬送装置において、
前記記録媒体の搬入または排出を行う搬送ローラと、
前記搬送ローラの回転数を抑制する回転数抑制手段と、を備え、
前記回転数抑制手段は、前記搬送ローラが空転する際に機械的な負荷を与え、前記搬送ローラが前記記録媒体を搬送する際に機械的な負荷を解除することを特徴とする記録媒体搬送装置。
【請求項２】
請求項１に記載の記録媒体搬送装置において、
前記回転数抑制手段は、前記搬送ローラが空転する際のみ、当該搬送ローラを軸支するシャフトを付勢するばね部材であることを特徴とする記録媒体搬送装置。
【発明の詳細な説明】
【０００１】
【発明の属する技術分野】
本発明は、記録媒体を用いる記録再生装置に係り、特に記録または再生時等に記録媒体を搬送するための記録媒体搬送装置に関する。
【０００２】
【従来の技術】
従来、この種の記録再生装置に備えられている記録媒体搬送装置は、ＣＤ（Ｃｏｍｐａｃｔ  Ｄｉｓｃ）やＤＶＤ（Ｄｉｇｉｔａｌ  Ｖｅｒｓｅｒｔｉｌｅ  Ｄｉｓｃ）等のディスクをクランプ機構へ搬送し、光ピックアップによる記録再生を可能にするために設けられており、ディスク挿入口に沿って設けられたディスクガイドと、このディスクガイドの直後の位置に設けられた搬送ローラと、この搬送ローラを駆動するための駆動モータと、上記搬送ローラの前方に設けられた光センサ等を備えて構成されている。
【０００３】
そして、上記記録媒体搬送装置は、使用者が上記ディスクをディスク挿入口からディスクガイドに沿って挿入すると、光センサがこのディスクの挿入を光学的に検知して駆動モータを起動させ、この駆動モータの駆動力を受けて搬送ローラがディスクに圧着しつつ所定方向に回転し、ディスクをクランプ機構側へ自動的に搬入する。このディスクがクランプ機構の所定位置（クランプ位置）に到達すると、搬送ローラの回転が停止し、さらにクランプ機構がディスクを保持することで、光ピックアップによる記録再生が行われるようになっている。
【０００４】
【発明が解決しようとする課題】
しかしながら、上述した従来の記録媒体搬送装置では、上記搬送ローラのディスクを圧着した時と空転時とでは、駆動モータの回転数の差が大きくなり、図５（A）に示すように搬送ローラの空転時による駆動モータの回転によって発生する電気的なノイズが増大してしまうという課題がある。
【０００５】
因みに、上記駆動モータには、小型化および高速回転化を図るため、電機子にブラシを接触させて高速回転させるタイプのモータが使用されており、このようなタイプのモータではディスクを圧着した時と空転時とでは、回転数の差が大きくなる。
【０００６】
本発明は上記事情を考慮してなされたもので、記録媒体を圧着した時と空転時とで駆動モータの回転数の差をなくし、駆動モータの回転駆動によって発生する電気的なノイズおよび動作音を低減可能な記録媒体搬送装置を提供することを目的とする。
【０００７】
【課題を解決するための手段】
上記課題を解決するため、請求項１に記載の発明は、記録媒体を所定の搬入位置から所定の装着位置へ搬入、または前記記録媒体を所定の装着位置から所定の搬入位置へ排出する記録媒体搬送装置において、前記記録媒体の搬入または排出を行う搬送ローラと、前記搬送ローラの回転数を抑制する回転数抑制手段と、を備え、前記回転数抑制手段は、前記搬送ローラが空転する際に機械的な負荷を与え、前記搬送ローラが前記記録媒体を搬送する際に機械的な負荷を解除するように構成する。
【０００８】
請求項１に記載の発明によれば、搬送ローラが空転する際に、その搬送ローラに機械的な負荷を与えて搬送ローラの回転数を抑制し、搬送ローラが記録媒体を搬送する際に機械的な負荷を解除することにより、記録媒体を圧着した時と空転時とで駆動モータの回転数の差がなくなり、駆動モータの回転駆動によって発生する電気的なノイズおよび動作音が低減可能となる。
【０００９】
請求項２に記載の発明は、請求項１に記載の記録媒体搬送装置において、前記回転数抑制手段は、前記搬送ローラが空転する際のみ、当該搬送ローラを軸支するシャフトを付勢するばね部材であるように構成する。
【００１０】
請求項２に記載の発明によれば、回転数抑制手段は、搬送ローラが空転する際のみ、当該搬送ローラを軸支するシャフトを付勢するばね部材であるので、このばね部材は、搬送ローラに常に所定の機械的負荷をかけているため、搬送ローラが待機位置で固定されることとなり、振動等によるがたつきを未然に防止することができる。
【００１３】
【発明の実施の形態】
以下、本発明の好適な実施の形態を添付図面に基づいて説明する。なお、以下の説明は、ＣＤやＤＶＤ等の記録媒体（以下、ディスクという）を用いる車載用記録再生装置に対して本発明に係る記録媒体搬送装置を適用した場合の実施形態である。
【００１４】
図１は本実施形態に係る車載用記録再生装置の外観構造を示す斜視図、図２は本実施形態に係る車載用記録再生装置に内蔵された記録媒体搬送装置の構造を示す平面図、図３は本実施形態に係る記録媒体搬送装置の構造を示す斜視図である。
【００１５】
図１〜図３に示すように、車載用記録再生装置１は、略矩形状の筐体２にフロントパネル３が取り付けられており、このフロントパネル３に形成されているスリット状のディスク挿入口４に、使用者がＣＤやＤＶＤ等のディスクＤＳの先端部分を挿入すると、筐体２内に設けられている記録媒体搬送装置が自動的に搬入を行う。そして、使用者が図示しない取り出しボタン（イジェクトボタン）を操作すると、筐体２内に挿入されているディスクＤＳをその記録媒体搬送装置が自動的に搬出し、ディスク挿入口４を介して排出するようになっている。
【００１６】
また、図２に示すように記録媒体搬送装置は、金属製のシャーシ５の上方に配設された搬送ローラ６と、この搬送ローラ６を回転駆動するための駆動モータ７と、この駆動モータ７の駆動力を搬送ローラ６に作動伝達するためのギヤ８〜１１と、搬送ローラ６に対向するようにしてシャーシ５に成形された長溝状の凹部１２とを備えて構成されている。
【００１７】
さらに、シャーシ５には、少なくとも一対の光センサＰ１，Ｐ２が搬送ローラ６を挟むように配設されており、光センサＰ１はディスクＤＳが挿入されたことを検出する一方、光センサＰ２はディスクＤＳが排出位置に至ったことを検出するために設けられている。
【００１８】
搬送ローラ６は、図３に示すように金属製のシャフト１５に一対の中空略円錐台状のローラ部材１６，１７が装着されて一体化され、シャフト１５の両端に支軸１８，１９が突設された構造を有している。なお、ローラ部材１６，１７は共に同一形状に形成されており、合成ゴム等の摩擦抵抗が大きく可撓性を有する材料で成形されている。シャフト１５は、所定の直径および長さに成形された中実軸であり、支軸１８，１９は共にシャフト１５よりも小さい直径で所定長さに設定されている。
【００１９】
図２に示すように、シャーシ５のディスク挿入口４に近接する部分の両側（ディスクＤＳの搬送方向Ｘに対して直交する両側）には、紙面上方に向けられた側壁部２２，２３が一体成形されている。そして、これら側壁部２２，２３には、可動部材２４，２５がそれぞれ揺動自在に支持され、これら可動部材２４，２５に搬送ローラ６の支軸１８，１９が各々回転自在に支持され、支軸１９にギヤ１１が連結されている。
【００２０】
このような支持構造により、搬送ローラ６は、ディスクＤＳの搬送方向Ｘに対して直交し、かつディスク挿入口４に対して平行に配置され、可動部材２４，２５と共に揺動することで、凹部１２に対する対向間隔が変えられるように構成されている。
【００２１】
なお、ディスク挿入口４の内側近傍には、図３に示すように搬送ローラ６による搬送動作が行われる際に、ディスクＤＳを搬送ローラ６とディスク挿入口４との高さに合わせて略水平に保ちつつ、搬送方向Ｘに案内するためのガイド部材２６，２７が設けられている。
【００２２】
また、側壁部２２，２３の少なくとも一方には、図４に示すように係止溝２８が形成され、この係止溝２８に付勢手段の一例である金属製のコイルばね２９の一端が掛止され、このコイルばね２９の他端が搬送ローラ６のシャフト１５に巻回するように取り付けられている。
【００２３】
これにより、コイルばね２９は、搬送ローラ６を所定方向に付勢し、つまり搬送ローラ６が回転する際に所定圧力の機械的負荷を与えて搬送ローラ６の回転数を抑制することで、搬送ローラ６とディスクＤＳとを圧着させる。すなわち、コイルばね２９は、回転数抑制手段としての機能を有することとなる。なお、コイルばね２９のばね強度は、搬送ローラ６とディスクＤＳとを圧着させる場合を主に考慮して設定されている。
【００２４】
ここで、可動部材２４，２５が上方に揺動すると、駆動モータ７にて常時駆動されるギヤ１０にギヤ１１が噛合することで搬送ローラ６が回転し、ディスク挿入口４から挿入されるディスクＤＳに搬送ローラ６が圧着することで、ディスクＤＳの搬入が行われる。
【００２５】
また、ディスクＤＳを搬出する場合には、駆動モータ７が逆回転することで搬送ローラ６も逆回転し、ディスクＤＳに搬送ローラ６が圧着することで、ディスクＤＳのディスク挿入口４側への搬出が行われる。
【００２６】
なお、図示していないが、可動部材２４，２５の揺動動作は、シャーシ５に設けられたアクチュエータによって行われるようになっている。
【００２７】
さらに、シャーシ５の底面中央部には、図２に示すようにターンテーブル３０が配置され、このターンテーブル３０は、シャーシ５の略中央部分に設けられたサーボモータ（図示略）の駆動軸に直結して取り付けられており、記録再生時に、このサーボモータの回転力を受けてディスクＤＳおよびターンテーブル３０が一体に回転するように構成されている。
【００２８】
また、シャーシ５の底面には、ターンテーブル３０の回転中心に向けて進退自在な光ピックアップ３１が設けられ、この光ピックアップ３１には、ターンテーブル２９に装着されるディスクＤＳの記録再生面側に光ビームを照射し、またその反射光を検出する対物レンズ３２が設けられている。
【００２９】
なお、図４において符号３３はディスクＤＳの姿勢を決定するガイドであり、その他光ピックアップ３１の機構およびディスクＤＳのクランプ機構については、特開平２０００−１２３４５３号公報に開示された発明と同様であるので、その説明を省略する。
【００３０】
次に、本実施形態の記録媒体搬送装置の作用を説明する。
【００３１】
使用者がディスク挿入口４にディスクＤＳを挿入すると、図２に示す光センサＰ１が、ディスクＤＳの挿入を光学的に検出し、この検出結果に基づいて搬送ローラ６も上方へ移動して駆動モータ７が回転駆動を開始する。これにより、搬送ローラ６がディスクＤＳに接触し、ディスクＤＳをターンテーブル３０の設けられているクランプ位置側へ自動的に搬入する。
【００３２】
次いで、ディスクＤＳが上記のクランプ位置まで搬入されると、搬送ローラ６が下方へ移動し、同時に駆動モータ７も停止する。これにより、搬送ローラ６による搬送動作が停止し、ディスクＤＳがターンテーブル３０と図示しないクランプ部材との間に挟持されることで、ディスクＤＳの記録再生が可能となる。
【００３３】
ここで、本実施形態では、側壁部２２，２３の少なくとも一方には、図４に示すように係止溝２８が形成され、この係止溝２８に付勢手段としてのコイルばね２９の一端が掛止され、このコイルばね２９の他端が搬送ローラ６のシャフト１５に巻回するように取り付けられているので、搬送ローラ６が空転状態でも搬送ローラ６のシャフト１５に所定の機械的負荷がかかることとなる。
【００３４】
したがって、搬送ローラ６が回転してディスクＤＳが搬入または排出されるとき、すなわち光センサＰ１，Ｐ２がディスクＤＳを検出したとき、コイルばね２９によって搬送ローラ６の回転数を抑制することにより、ディスクＤＳを圧着した時と空転時とで駆動モータ７の回転数の差（変動）がなくなり、図５（Ｂ）に示すように駆動モータ７の回転駆動によって発生する電気的なノイズおよび動作音を低減させることが可能となる。
【００３５】
ここで、搬送ローラ６の回転数を抑制するには、電気的に抑制することも考えられるが、このような場合には制御回路が必要になり、回路構成を複雑化させる不具合が発生することから、本実施形態のように機械的に回転数を抑制することが望ましい。
【００３６】
そして、コイルばね２９は、搬送ローラ６のシャフト１５に常に所定の機械的負荷をかけているため、搬送ローラ６が待機位置で固定され、待機位置での振動等によるがたつきを未然に防止することができる。
【００３７】
また、コイルばね２９は、その一端が搬送ローラ６のシャフト１５に巻回するように取り付けられているので、搬送ローラ６のシャフト１５に対して効果的に機械的負荷を与えることができる。そして、コイルばね２９の一端が線状に形成されていることから、シャフト１５に対する摩擦抵抗が小さく、搬送ローラ６の回転動作に支障を来すことがなくなる。
【００３８】
なお、本発明は上記実施形態に限定されることなく、種種の変更が可能である。例えば、上記実施形態では、側壁部２２，２３の一方に係止溝２８を形成し、この係止溝２８にコイルばね２９の一端を掛止するようにしたが、これに限らず側壁部２２，２３の双方に係止溝２８を各々形成し、これらの係止溝２８の各々にコイルばね２９の一端を掛止するとともに、各コイルばね２９の他端を搬送ローラ６のシャフト１５に巻回するように取り付けてもよい。
【００３９】
また、上記実施形態では、付勢手段として金属製のコイルばね２９を用いたが、これに限定されることなく、材質としてはゴムばね、空気ばねであってもよく、その形状も板ばね、渦巻ばね、皿ばね等であってもよい。
【００４０】
さらに、上記実施形態では、搬送ローラ６が回転する際に、シャフト１５に巻回されたコイルばね２９が常時シャフト１５に機械的な負荷を与えることについて説明したが、これに限定されることなく、搬送ローラ６が空転する際に所定の機械的負荷を与え、ディスクＤＳを圧着して搬送（または排出）する際には機械的な負荷を与えない構成にしてもよい。例えば、コイルばね２９の代わりに板ばねを用いて、搬送ローラ６が空転しているときにその板ばねがシャフト１５を付勢して所定の機械的負荷を与え、搬送ローラ６がディスクＤＳを圧着して搬送（または排出）する際には板ばねによる付勢を解除する構成としてもよい。
【００４１】
【発明の効果】
以上説明したように本発明によれば、搬送ローラが空転する際に、その搬送ローラに機械的な負荷を与えて搬送ローラの回転数を抑制し、搬送ローラが記録媒体を搬送する際に機械的な負荷を解除することにより、構造を複雑化せずに記録媒体を圧着した時と空転時とで駆動モータの回転数の差をなくすことができ、その結果、駆動モータの回転駆動によって発生する電気的なノイズおよび動作音を低減させることができる。
【図面の簡単な説明】
【図１】本実施形態に係る車載用記録再生装置の外観構造を示す斜視図である。
【図２】本実施形態に係る車載用記録再生装置に内蔵された記録媒体搬送装置の構造を示す平面図である。
【図３】本実施形態に係る記録媒体搬送装置の構造を示す斜視図である。
【図４】本実施形態に係る記録媒体搬送装置の構造を示す側面図である。
【図５】（Ａ）は従来の記録媒体搬送装置による電流波形を示す図であり、（Ｂ）は本実施形態の記録媒体搬送装置による電流波形を示す図である。
【符号の説明】
１  車載用記録再生装置
２  筐体
３  フロントパネル
４  ディスク挿入口
５  シャーシ
６  搬送ローラ
７  駆動モータ
１５  シャフト
１６  ローラ部材
１７  ローラ部材
１８  支軸
１９  支軸
２２  側壁部
２３  側壁部
２４  可動部材
２５  可動部材
２８  係止溝
２９  コイルばね（回転数抑制手段・ばね部材）
３０  ターンテーブル
３１  光ピックアップ
【図１】
0004252228.tif 000002
【図２】
0004252228.tif 000003
【図３】
0004252228.tif 000004
【図４】
0004252228.tif 000005
【図５】
0004252228.tif 000006